(57)【要約】【課題】補強柱１５の取り付けが容易であるとともに、取り付け強度も十分に確保して耐負圧性の向上を図る。【解決手段】横材１６に上部係合部材２０が設けられ、シャッター枠４の下枠における室外側部に設けられた取付ブラケット２６には下部係合部材３３を設ける一方、補強柱１５の上端部及び下端部からそれぞれ出没可能な杆体４３を設けるとともに、補強柱１５の上端部及び下端部にはそれぞれ上部係止部材３７及び下部係止部材３８を設け、補強柱１５の上部係止部材３７と下部係止部材３８を、横材１６の上部係合部材２０及び取付ブラケット２６の下部係合部材３３に対して見付け方向からスライドさせて係合可能とし、かつ係合時には杆体４３を補強柱１５の上下端から突出させて上部係合部材２０及び下部係合部材３３に係合可能とした。【選択図】図１
2009155907.tif 000002
【特許請求の範囲】
【請求項１】
建物の開口部に設けられたサッシ枠の屋外側にシャッター枠を設け、該シャッター枠の上部にシャッター板を収容するシャッターボックスを設け、上記シャッター枠の左右縦枠の上部間に取付用の横材を配置し、該横材をブラケットを介して上記サッシ枠の縦枠又はシャッター枠の縦枠に固定し、上記横材の中間部とシャッター枠の下部室外側との間に上記シャッター板の屋外面と向き合う補強柱を取り付けたシャッターにおいて、
上記横材の長手方向中間部に上部係合部材が設けられ、上記シャッター枠の下枠における室外側部の見付け方向中間部に取付ブラケットが固着され、この取付ブラケットには下部係合部材を設ける一方、上記補強柱にはその上端部及び下端部からそれぞれ出没可能な杆体を設けるとともに、上記補強柱の上端部及び下端部にはそれぞれ上部係止部材及び下部係止部材を設け、
上記補強柱の上部係止部材と下部係止部材を、上記横材の上部係合部材及び取付ブラケットの下部係合部材に対して見付け方向からスライドさせて係合可能とし、かつ係合時には上記杆体を補強柱の上下端から突出させて上記上部係合部材及び下部係合部材に係合可能としたことを特徴とするシャッター。
【請求項２】
上記横材及び上記取付ブラケットに設けられた上部係合部材及び下部係合部材は、上記建物開口部の見付け方向に開口する係合溝を有し、上記補強柱の上部及び下部に設けられた上部係止部材及び下部係止部材は、上記係合溝に見付け方向にスライドして係合可能な係止片を備えたことを特徴とする、請求項１に記載のシャッター。
【請求項３】
上記補強柱の上端及び下端には、上記係止片の上記係合溝へのスライドを規制するストッパが形成されていることを特徴とする、請求項１又は２に記載のシャッター。
【請求項４】
上記横材の両端には上記ブラケットの一端が固着され、このブラケットの他端は、上記サッシの縦枠の屋外側部分に固着されていることを特徴とする、請求項１〜３のいずれかに記載のシャッター。
【発明の詳細な説明】
【技術分野】
【０００１】
本発明は、建物の開口部にサッシ枠の屋外側に設けられたシャッターに関する。
【背景技術】
【０００２】
最近、サッシ枠の屋外側に雨戸に代えてシャッターを取り付けたものが実施されている。シャッター板は多数のスラットを連結してなるものであるから、台風等の強風時に室内側から室外側に大きな負圧が作用し、シャッター板がその負圧によって室外側に大きく煽られて撓むことがある。シャッター板の幅が小さいときは撓みも小さいからあまり問題はないが、シャッター板が幅広のときにはシャッター板が室内側と室外側に撓んで大きな騒音を発することがある。
【０００３】
そのため、シャッター板の屋外側に補強用の縦部材を取り付け、シャッター板が撓むのを抑えるようにした技術が知られている（特許文献１参照）。
【特許文献１】特開２００４−２５７０１９
【発明の開示】
【発明が解決しようとする課題】
【０００４】
しかしながら、上記技術は、補強縦部材を建物開口部の見込み方向から着脱する方式であり、しかも室外側から着脱しなければならないので、室内側から補強縦部材を取り付け又は取り外す作業は容易ではなかった。また、補強縦部材の上下端は取り付け強度が十分ではないという問題があった。
【０００５】
本発明は上記問題を解消し、シャッター板の煽りや撓みを抑える補強柱の取り付けが容易であるとともに、取り付け強度も十分に確保して耐負圧性の向上を図ったシャッターを提供することをその課題とする。
【課題を解決するための手段】
【０００６】
上記課題を解決するため、請求項１に係る発明は、建物の開口部に設けられたサッシ枠の屋外側にシャッター枠を設け、該シャッター枠の上部にシャッター板を収容するシャッターボックスを設け、上記シャッター枠の左右縦枠の上部間に取付用の横材を配置し、該横材をブラケットを介して上記サッシ枠の縦枠又はシャッター枠の縦枠に固定し、上記横材の中間部とシャッター枠の下部室外側との間に上記シャッター板の屋外面と向き合う補強柱を取り付けたシャッターにおいて、上記横材の長手方向中間部に上部係合部材が設けられ、上記シャッター枠の下枠における室外側部の見付け方向中間部に取付ブラケットが固着され、この取付ブラケットには下部係合部材を設ける一方、上記補強柱にはその上端部及び下端部からそれぞれ出没可能な杆体を設けるとともに、上記補強柱の上端部及び下端部にはそれぞれ上部係止部材及び下部係止部材を設け、上記補強柱の上部係止部材と下部係止部材を、上記横材の上部係合部材及び取付ブラケットの下部係合部材に対して見付け方向からスライドさせて係合可能とし、かつ係合時には上記杆体を補強柱の上下端から突出させて上記上部係合部材及び下部係合部材に係合可能としたことを特徴とする。
【０００７】
請求項２に係る発明は、請求項１において、上記横材と取付ブラケットに設けられた上部係合部材及び下部係合部材は、上記建物開口部の見付け方向に開口する係合溝を有し、上記補強柱の上部及び下部に設けられた上部係止部材及び下部係止部材は、上記係合溝に見付け方向にスライドして係合可能な係止片を備えたことを特徴とする。
【０００８】
請求項３に係る発明は、請求項１又は２において、上記補強柱の上端及び下端には、上記係止片の上記係合溝へのスライドを規制するストッパが形成されていることを特徴とする。
【０００９】
請求項４に係る発明は、請求項１〜３のいずれかにおいて、上記横材の両端には上記ブラケットの一端が固着され、このブラケットの他端は、上記サッシの縦枠の屋外側部分に固着されていることを特徴とする。
【発明の効果】
【００１０】
請求項１に係る発明によれば、補強柱の上部係止部材と下部係止部材を、上記横材の上部係合部材及び取付ブラケットの下部係合部材に対して見付け方向からスライドさせて係合可能とし、かつ係合時には杆体を補強柱の上下端から突出させて上記上部係合部材及び下部係合部材に係合可能としたので、補強柱を取り付け、または取り外すときは、見付け方向にスライドさせて行うことができるので、室内側からでも着脱作業することができ、しかもスライドして杆体を上下動するだけでよく、特別の道具を必要としないので、作業は容易である。
【００１１】
また、補強部材は屋内外方向に移動させても外れることがなく、また直接に横材や取付ブラケットに取り付けるのでなく、上下部の係合部材や係止部材を介して固定する構造なので、十分な取付強度を確保して耐負圧性の向上を図ることができる。
【００１２】
したがって、台風等の強風時に室内側から室外側に大きな負圧が作用し、シャッター板がその負圧によって室外側に大きく煽られて撓むことがあっても、補強柱によってその撓みを最小限に抑えることができる。
【００１３】
請求項２に係る発明によれば、補強柱を見付け方向にスライドさせてその上下部の係止片を横材と取付ブラケットに設けられた上部係合部材及び下部係合部材の係合溝に差し込んで係合することができるので、補強柱の着脱作業が容易である。
【００１４】
請求項３に係る発明によれば、補強柱の上端及び下端には、上記係止片の上記係合溝へのスライドを規制するストッパが形成されているので、補強柱の位置決めが容易に行われる。
【００１５】
請求項４に係る発明によれば、横材の両端には上記ブラケットの一端が固着され、このブラケットの他端は、上記サッシの縦枠の屋外側部分に固着されているので、横材を強固に取り付けることができる。
【発明を実施するための最良の形態】
【００１６】
図１はシャッターサッシの正面図、図２は図１のＸ−Ｘ線上の断面図、図３は図２のＹ−Ｙ線上の断面図であり、図４は図２のＺ−Ｚ線上の断面図である。これらの図において符号１はサッシ枠であり、サッシ枠１は上枠１ａ、下枠１ｂ及び左右の縦枠１ｃとを方形に枠組みしてなり、その内側には障子２と網戸３が摺動自在に収納されている。上記縦枠１ｃは上記上枠１ａよりも上方に延長され、縦枠１ｃの上端間には、上記上枠１ａの上部に配置されたシャッター上枠４ａが取り付けられている。
【００１７】
上記サッシ枠１の屋外側にはシャッターが一体的に取り付けられている。シャッターは、上記シャッター上枠４ａとシャッター下枠４ｂとシャッター縦枠４ｃとからなるシャッター枠４の上部にシャッターボックス５を取り付け、シャッターボックス５の内部の巻取り軸６にシャッター板７を巻装して収容したもので、シャッター縦枠４ｃにはシャッター板７の両端の摺動をガイドするガイドレール８が形成されている。シャッター下枠４ｂはサッシの下枠１ｂの屋外側に延長形成されている部分である。
【００１８】
なお、サッシの縦枠１ｃの屋外側には、内方に突出する取付縁１０が形成され、また屋外側の端部には外方に屈曲した張出部１１と係止片１２とが形成されている。これに対し、シャッター縦枠４ｃの屋外側には、内方に開口するガイドレール８が形成されているとともに、屋内側には、係止溝１３と取付片１４とが形成されている。そして、シャッター縦枠４ｃは上記係止溝１３をサッシの縦枠１ｃの係止片１２に係止させ、取付片１４を取付縁１０の端部に重合させてビス止めすることにより一体的に結合されている。
【００１９】
上記構成により、シャッター板７をシャッターボックス５から引き出し又は巻き取ることによってガイドレール８内を摺動させ、上記サッシ枠１を開閉することができる。
【００２０】
次に、上記シャッターの屋外側にはシャッター板７の屋外面と向き合うように補強柱１５が配設されている。すなわち、シャッター枠４の左右縦枠４ｃの上部間で、シャッターボックス５の下面に沿って取付用の横材１６が配置され、この横材１６の中間部とシャッター下枠４ｂの中央部に補強柱１５が設けられている。
【００２１】
横材１６は図２及び図５に示されるように、断面が方形の角筒状金属部材で、内側にはビスホール１９が形成されている。横材１６の両端にはブラケット１７の一端が上記ビスホール１９にビス止めにより固着されている。ブラケット１７はシャッター縦枠４ｃの外側面に沿って屋内側に延長され、その他端は外方に屈曲され、図４に示されるように、サッシの縦枠１ｃの屋外側の張出部１１にビス止めすることにより固着されている。
【００２２】
図５及び図６に示されるように、上記横材１６の長手方向中間部には上部係合部材２０が設けられている。上部係合部材２０は、それぞれ板状の基部金具２１ａと支持金具２２ａとを重合して横材１６の下面にビス１８により固定したもので、支持金具２２ａは基部金具２１ａよりも幅広となっており、基部金具２１ａと支持金具２２ａとを重合することにより、支持金具２２ａと横材１６の下面との間には、上記建物開口部の見付け方向に開口する係合溝２３が形成されている（図７（ａ）参照）。なお、支持金具２２ａの四隅には下方に傾斜する案内片２４が形成されている。
【００２３】
なお、基部金具２１ａと支持金具２２ａと横材１６の底部には、重合によって連続する係合孔２５となる係合部２５ａ、２５ｂ、２５ｃが形成されている。
【００２４】
これに対応して、図６、図７（ｂ）、図８及び図９に示されるように、上記シャッター枠４の下枠４ｂにおける室外側部の見付け方向中間部には取付ブラケット２６が固着されて屋外側に突出している。
【００２５】
取付ブラケット２６は、ブラケット本体２７と取付座２８とから構成され、ブラケット本体２７はシャッター枠４の下枠４ｂの下面の屋外側に形成されたあり溝３０にスライド嵌合され、固定用のビス３１によりガタつかないように押圧されて固定されている。ブラケット本体２７の屋外側にはＪ字形の取付部３２が形成されている。取付座２８は屋内側の基部２８ａが上方に屈曲したＬ字形の板状部材で、基部２８ａをブラケット本体２７の取付部３２に当接してビス止めにより一体に固定されている。
【００２６】
取付ブラケット２６の取付座２８には下部係合部材３３が設けられている。下部係合部材３３は、板状の基部金具２１ｂとブロック状の支持金具２２ｂとを重合して上記取付座２８の上面にビス１８により固定したもので、支持金具２２ｂは基部金具２１ｂよりも幅広となっており、基部金具２１ｂと支持金具２２ｂとを重合することにより、支持金具２２ｂと取付座２８の上面との間には、上記建物開口部の見付け方向に開口する係合溝２３が形成されている（図７参照）。
【００２７】
なお、基部金具２１ｂと支持金具２２ｂと取付座２８には、重合することによって連続する係合孔２５となる係合部２５ａ、２５ｂ、２５ｃが形成されている。
【００２８】
次に、図５及び図６に示されるように、補強柱１５は断面が方形の角筒状金属部材で、そのシャッターに面する背面には、その長手方向に沿って２条の嵌合溝が形成され、各嵌合溝にはクッション３５が装着されている。
【００２９】
また、補強柱１５の上端と下端の見付け方向の一側には、図５、図１１（ａ）（ｂ）に示されるように、開口部３６が形成されている。そして、補強柱１５の上部及び下部の内側には上部係止部材３７及び下部係止部材３８が設けられている。上部係止部材３７はコ字形部の先端に係止片４０を向き合いに形成したもので、一側から中央にかけて切欠き溝４１が形成されている。そして、上部係止部材３７は補強柱１５の上部の開口部３６の内側に嵌めこまれるように収納され、ビス止め固定されている。下部係止部材３８も上部係止部材３７と同じ形状で、同様にして補強柱１５の下部の内側に固定されている。
【００３０】
さらに、図６に示されるように、補強柱１５の内部には上下部にそれぞれ杆体保持部材４２が配置されている。杆体保持部材４２には杆体４３が上下動可能に保持され、杆体４３を上下に作動させる操作部等とともにユニット化され、補強柱１５の背面に固定されている。なお、これらはいわゆるフランス落しの機構を利用すればよい。そして、上下の杆体４３の先端部４３ａは、それぞれ上部係止部材３７及び下部係止部材３８の切欠き溝４１を通って補強柱１５の上端部及び下端部からそれぞれ出没できるようになっている。
【００３１】
次に、上記補強柱１５を取り付けるときは、図１０、図１１（ａ）（ｂ）に示されるように、予め杆体４３を内部に納めた状態にして補強柱１５をその上下端の開口部３６を、横材１６の上部係合部材２０と取付ブラケット２６の下部係合部材３３に向け、見付け方向にスライドさせ、その上部係止部材３７と下部係止部材３８の係止片４０を上部係合部材２０の係合溝２３と下部係合部材３３の係合溝２３に差し込んで係合させる。上部係止部材３７の係止片４０は上部係合部材２０の係合溝２３に差し込まれるとき、図５のように案内片２４に案内される。そして、補強柱１５が所定の位置、つまり上下部の杆体４３が上部係合部材２０と下部係合部材３３の係合孔２５に対応する位置まで移動したとき、上部係合部材２０と下部係合部材３３の端部が補強柱１５の開口部３６と反対側の壁４４に当たってスライドは規制され、上記位置に位置決めされる。
【００３２】
さらに、上記杆体４３の先端４３ａを図６の点線で示すように補強柱１５の上下端から突出させて上記上部係合部材２０と横材１６及び下部係合部材３３と取付ブラケット２６に形成された係合孔２５（図７（ａ）（ｂ）参照）に係合させる。これにより、補強柱１５は逆方向にもスライド移動できなくなり、上記位置に固定される。
【００３３】
これに対し、補強柱１５を外す時は、まず杆体４３を補強柱１５内に納めた後、補強柱１５を逆の見付け方向にスライドさせればよい。
【００３４】
補強柱１５の取付け方向（スライド方向）は、補強柱１５を上下逆転して使用すれば、左右どちら側からでも、上部係合部材２０と下部係合部材３３の係合溝２３に差し込んで係合させることができる。なお、図１０は図１１とスライド方向が逆の場合を示す。
【００３５】
上述の補強柱１５によれば、台風等の強風時に室内側から室外側に大きな負圧が作用し、シャッター板７がその負圧によって室外側に大きく煽られて撓むことがあっても、補強柱１５によってその撓みを最小限に抑えることができる。
【００３６】
また、補強柱１５を取り付け、または取り外すときは、見付け方向にスライドさせて行うことができるので、室内側からでも着脱作業することができ、しかもスライドして杆体４３を上下動するだけでよく、特別の道具を必要としないので、作業は容易である。
【００３７】
また、補強柱１５は屋内外方向に移動させても外れることがなく、また直接に横材１６や取付ブラケット２６に取り付けるのでなく、上下部の係合部材２０、３３や係止部材３７、３８を介して固定する構造なので、十分な取付強度を確保することができる。
【００３８】
なお、補強柱１５がスライドしたときのストッパは、補強柱１５の開口部３６と反対側の壁４４に限定されない。別にストッパを設けてもよい。また、ストッパは横材１６と取付ブラケット２６に形成してもよい。
【図面の簡単な説明】
【００３９】
【図１】本発明に係るシャッターサッシの正面図
【図２】図１のＸ−Ｘ線上の断面図
【図３】図２のＹ−Ｙ線上の断面図
【図４】図２のＺ−Ｚ線上の断面図
【図５】横材と補強柱の上部の分解斜視図
【図６】補強柱とその周辺の透視図
【図７】（ａ）（ｂ）はそれぞれ図６の上下部の拡大図
【図８】下部係合部材と取付ブラケットの分解斜視図
【図９】取付ブラケットの取付態様説明図
【図１０】補強柱の取付態様説明図
【図１１】（ａ）（ｂ）は補強柱の上下端の取付時の説明図
【符号の説明】
【００４０】
１  サッシ枠
４  シャッター枠
５  シャッターボックス
１５  補強柱
１６  横材
２０  上部係合部材
２６  取付ブラケット
３３  下部係合部材
３７  上部係止部材
３８  下部係止部材
【図１】
2009155907.tif 000003
【図２】
2009155907.tif 000004
【図３】
2009155907.tif 000005
【図４】
2009155907.tif 000006
【図５】
2009155907.tif 000007
【図６】
2009155907.tif 000008
【図７】
2009155907.tif 000009
【図８】
2009155907.tif 000010
【図９】
2009155907.tif 000011
【図１０】
2009155907.tif 000012
【図１１】
2009155907.tif 000013